【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
少なくとも１つの受け入れ孔を有する復位用プラットホームと；
骨係合端部とネジ部とを有し、更に少なくとも１つの前記受け入れ孔と嵌合する大きさの部分を有するフラグメント・マニピュレータであり、骨折を復位すべく骨折領域の骨折片が前記復位用プラットホームに向けて引き上げられることが可能なように、前記骨係合端部が骨折片内に向かって挿入されて、該骨折片に取着するように形成されたフラグメント・マニピュレータと；
前記復位用プラットホーム上の所定の位置で前記フラグメント・マニピュレータのネジ部と摺動自在に係合すると共に、前記プラットホームの上面と係合するナットと；
を具備してなり；前記フラグメント・マニピュレータが前記受け入れ孔を介して配置されたとき、前記復位用プラットホームが前記ナットと骨係合端部との間に存在するようになっている骨折復位用アッセンブリー。
【請求項２】
前記フラグメント・マニピュレータは、前記骨係合端部とは反対側に位置する第２の端部と、前記骨係合端部と第２の端部との間に延びた中央部分とを有し、該中央部分は第１の直径を有し、前記の少なくとも１つの受け入れ孔は第２の直径を有し、該第２の直径は前記第１の直径よりも大きくなっている請求項１記載の復位用アッセンブリー。
【請求項３】
前記フラグメント・マニピュレータの第２の端部が器具係合部分を含み、該器具係合部分は、駆動アッセンブリーと係合するための結合面を有する請求項２記載の復位用アッセンブリー。
【請求項４】
前記骨係合端部が孔開け用の先端を有し、該孔開け用の先端が、第１の部分と、第２の部分とを有し、前記第１の部分は先端から遠くなるにつれて径が増大するネジ部を有し、前記第２の部分は均一径のネジ部を有する請求項１記載の復位用アッセンブリー。
【請求項５】
前記フラグメント・マニピュレータは、所定の長さおよび中央断面を有する長尺部材からなり、前記骨係合端部が第１の外径を有し、前記中央断面が第２の外径を有し、該第２の外径が第１の外径よりも大きくなっていてストッパーを形成している請求項１記載の復位用アッセンブリー。
【請求項６】
前記ナットが、前記復位用プラットホームの上面と係合する突端部を更に含み、該突端部は、前記復位用プラットホームとの関連で前記フラグメント・マニピュレータの角度調整を容易にする形状のものとなっている請求項１記載の復位用アッセンブリー。
【請求項７】
前記突端部は球状となっていて、前記復位用プラットホームの上面に形成されたさら穴型受け入れ孔と係合するようになっている請求項６記載の復位用アッセンブリー。
【請求項８】
前記復位プラットホームが、円筒状バーである請求項１記載の復位用アッセンブリー。
【請求項９】
前記円筒状バーが、平坦面の部分を少なくとも有する請求項８記載の復位用アッセンブリー。
【請求項１０】
前記円筒状バーを目標の骨領域上に配置させる大きさ及び形状の支持システムを更に有する請求項８記載の復位用アッセンブリー。
【請求項１１】
前記支持システムが、頭部支持プレートと、複数のアーチ型輪郭の支持部材とを含み、該アーチ型輪郭は前記頭部支持プレートの一側から他側に延びた大きさ及び形状を有し、前記アーチ型支持部材の頂部が患者の目標の骨上に延びた形状をなしている請求項１０記載の復位用アッセンブリー。
【請求項１２】
前記円筒状バーが、第１の孔および第２の孔を有する接続クランプを具備し、前記第１の孔は前記円筒状バーを受け入れし得る大きさ及び形状のものであり、前記第２の孔は前記アーチ型支持部材を受け入れし得る大きさ及び形状のものである請求項１１記載の復位用アッセンブリー。
【請求項１３】
前記円筒状バー上の雄ネジ部分と係合するための雌ネジ付きスリーブを有するサムホィールを更に具備してなり、該サムホィールのスリーブは前記第１の孔と前記円筒状バーとの間に設置される大きさ及び形状を有するものであり、それにより前記支持システムとの関連で前記円筒状バーの位置を付加的に調整し得るようにした請求項１２記載の復位用アッセンブリー。
【請求項１４】
前記の少なくとも１つの受け入れ孔が、前記フラグメント・マニピュレータを受け入れし得る大きさ及び形状の軸孔を有する挿入部を含む請求項１記載の復位用アッセンブリー。
【請求項１５】
前記挿入部が受け入れ孔の少なくとも一部の内部で関節動自在となっていて復位用プラットホームとの関連でフラグメント・マニピュレータの角度調整をなし得るようになっている請求項１４記載の復位用アッセンブリー。
【請求項１６】
前記挿入部は、ナット係合部と、球状部とを有する関節ワッシャーであり、前記ナット係合部は前記ナットのための支承面を提供する大きさ及び形状を有するものであり、前記球状部は前記の少なくとも１つの受け入れ孔と係合し得る大きさ及び形状を有するものである請求項１４記載の復位用アッセンブリー。
【請求項１７】
少なくとも１つの受け入れ孔を有する復位用プラットホームと；
骨係合端部と、少なくとも１つの前記受け入れ孔と嵌合する大きさの部分と、ネジ部とを有するフラグメント・マニピュレータであって、前記ネジ部は、前記フラグメント・マニピュレータが前記受け入れ孔を介して配置されたときに、前記受け入れ孔を通り、前記骨係合端部と反対側の復位用プラットホームの面を越えて延出し、前記受け入れ孔を介して前記フラグメント・マニピュレータを移動させて患者の骨を復位させるようになされており、フラグメント・マニピュレータを移動させたときに骨折片が前記復位用プラットホームに向かって引き上げられることが可能なように、前記骨係合端部が前記骨折片に対して取着可能なネジ部を有していることを特徴とする骨片を操作するための骨折復位用アッセンブリー。
【請求項１８】
前記アセンブリはナットを具備してなり、該ナットは、前記ネジ部と螺合する形状のネジ部を有すると共に、前記骨係合端部と反対側の前記プラットホームの面と係合する外面を更に有する請求項１７記載のアッセンブリー。
【請求項１９】
受け入れ孔の少なくとも一部が、前記フラグメント・マニピュレータのネジ部と螺合する形状のネジ部を有する請求項１７記載のアッセンブリー。
【請求項２０】
前記フラグメント・マニピュレータが、前記骨係合端部とは反対側に位置する第２の端部と、前記骨係合端部と第２の端部との間に延びた中央部分とを有し、該中央部分は第１の直径を有し、少なくとも１つの前記受け入れ孔は第２の直径を有し、該第２の直径は前記第１の直径よりも大きくなっている請求項１７記載のアッセンブリー。
【請求項２１】
前記フラグメント・マニピュレータの第２の端部は器具係合部分を含む請求項２０記載のアッセンブリー。
【請求項２２】
前記骨係合端部は孔開け用の先端を有する請求項１７記載のアッセンブリー。
【請求項２３】
前記フラグメント・マニピュレータは、所定の長さおよび中央断面を有する長尺部材からなり、前記骨係合端部が第１の外径を有し、前記中央断面は第２の外径を有し、該第２の外径は第１の外径よりも大きくなっていてストッパーを形成している請求項１７記載のアッセンブリー。
【請求項２４】
前記復位プラットホームは、平坦面の部分を少なくとも有する円筒状バーである請求項１７記載のアッセンブリー。
【請求項２５】
前記円筒状バーを目標の骨領域上に配置させる大きさ及び形状の支持システムを更に有し、前記支持システムは、頭部支持プレートと、複数のアーチ型の輪郭の支持部材とを含み、該アーチ型輪郭は前記頭部支持プレートの一側から他側に延びた大きさ及び形状を有し、前記アーチ型支持部材の頂部が患者の目標の骨上に延びた形状をなしている請求項２４記載のアッセンブリー。
【請求項２６】
前記円筒状バーが、第１の孔および第２の孔を有する接続クランプを具備し、前記第１の孔は前記円筒状バーを受け入れし得る大きさ及び形状のものであり、前記第２の孔は前記アーチ型支持部材を受け入れし得る大きさ及び形状のものである請求項２５記載のアッセンブリー。
【請求項２７】
前記円筒状バー上の雄ネジ部分と係合するための雌ネジ付きスリーブを有するサムホィールを更に具備してなり、前記サムホィールのスリーブが前記第１の孔と前記円筒状バーとの間に設置される大きさ及び形状のものであり、それにより前記支持システムとの関連で前記円筒状バーの位置を付加的に調整し得るようにした請求項２６記載の復位用アッセンブリー。